(57)【要約】【課題】  レンズを拭くきめ細かい特殊な生地の面積は小さくして、生地全体を使用できるようにし、低コストなメガネ拭きを提供すること。また、メガネ拭き自体の大きさをメガネのレンズとほぼ同じくらいにして、レンズを拭き易くすること。【解決手段】  表裏の面にメガネ２１のレンズ２２を拭く生地１２をそれぞれ設けた一対のメガネ拭き体２と、この一対のメガネ拭き体２を連結する柔軟なストラップ３とでメガネ拭き本体１を形成する。前記一対のメガネ拭き体２の大きさを前記レンズ２２の大きさとほぼ同じか、あるいは小さくしている。【選択図】        図１
2006313210.tif 000002
【特許請求の範囲】
【請求項１】
表裏の面にメガネ（２１）のレンズ（２２）を拭く生地（１２）をそれぞれ設けた一対のメガネ拭き体（２）と、この一対のメガネ拭き体（２）を連結する柔軟なストラップ（３）とでメガネ拭き本体（１）を形成し、
前記一対のメガネ拭き体（２）の大きさを前記レンズ（２２）の大きさとほぼ同じか、あるいは小さくしていることを特徴とするメガネ拭き。
【請求項２】
前記メガネ拭き体（２）を、スポンジ体（１１）と、このスポンジ体（１１）より大きくて該スポンジ体（１１）の表裏面にそれぞれ配される生地（１２）（１２）と、この生地（１２）（１２）の周縁部を縫着するヘム布（１３）とで構成していることを特徴とする請求項１に記載のメガネ拭き。
【請求項３】
前記一対のメガネ拭き体（２）を広げた場合に、メガネ（２１）の一対のレンズ（２２）の位置に前記メガネ拭き体（２）がそれぞれ対応した位置となっていることを特徴とする請求項１または請求項２に記載のメガネ拭き。
【請求項４】
前記メガネ拭き体（２）の形状を円形としていることを特徴とする請求項１〜請求項３のいずれかに記載のメガネ拭き。
【発明の詳細な説明】
【技術分野】
【０００１】
本発明は、メガネ拭きに関するものである。
【背景技術】
【０００２】
メガネのレンズが曇ってきたり、汚れてきた場合に、布製のメガネ拭きでレンズを拭くと綺麗になるので、従来より重宝がられている。この従来より販売されているメガネ拭きは、ハンカチの約４分の１程度の大きさであり、また、生地自体がきめ細かい特殊なものが用いられている。
【０００３】
しかしながら、従来のメガネ拭きは、全体がきめ細かい特殊な生地が用いられているため、比較的高価であり、また、一般にはメガネケースにメガネ拭きのみを入れておいたり、あるいはメガネと一緒に入れている。そのため、メガネ拭き自体をポケットに入れて持ち歩くということがなく、メガネのレンズが曇ったり、汚れた場合に直ぐにレンズを拭くことができず、使い勝手が悪いという問題があった。
【０００４】
また、従来のミニハンカチ状の大きさのメガネ拭きは、該メガネ拭き全体がきめ細かい特殊な生地としているにも関わらず、実際にレンズを拭いている部分は真ん中の少しの部分だけであり、生地自体が無駄に使われており、その分、コストが高くなるという要因もある。
更には、メガネに対してミニハンカチ状の大きさのメガネ拭きが大きいため、手に持ってレンズを拭きにくいという問題もあった。
【０００５】
また、従来のメガネ拭きをメガネケースに入れる場合、特にメガネと一緒に納装する場合に、いちいちメガネ拭きを畳んで、あるいはメガネと一緒に折り畳んで入れる必要があり、面倒であった。
【発明の開示】
【発明が解決しようとする課題】
【０００６】
本発明は上述の問題点に鑑みて提供したものであって、少なくとも以下に示す目的を備えたメガネ拭きを提供するものである。
（１）レンズを拭くきめ細かい特殊な生地の面積は小さくして、生地全体を使用できるようにし、低コストなメガネ拭きを提供すること。
（２）メガネ拭き自体の大きさをメガネのレンズとほぼ同じくらいにして、レンズを拭き易くすること。
（３）背広やワイシャツの胸ポケットに入れることができて、外出先でもメガネのレンズが拭けるようにすること。
（４）メガネケースにメガネ拭き単独、あるいはメガネと一緒に入れておく場合でも、メガネ拭きを折り畳むことなく簡単に収納できるようにすること。
【課題を解決するための手段】
【０００７】
そこで、本発明の請求項１に記載のメガネ拭きでは、表裏の面にメガネ２１のレンズ２２を拭く生地１２をそれぞれ設けた一対のメガネ拭き体２と、この一対のメガネ拭き体２を連結する柔軟なストラップ３とでメガネ拭き本体１を形成し、
前記一対のメガネ拭き体２の大きさを前記レンズ２２の大きさとほぼ同じか、あるいは小さくしていることを特徴としている。
【０００８】
請求項２に記載のメガネ拭きでは、前記メガネ拭き体２を、スポンジ体１１と、このスポンジ体１１より大きくて該スポンジ体１１の表裏面にそれぞれ配される生地１２、１２と、この生地１２、１２の周縁部を縫着するヘム布１３とで構成していることを特徴としている。
【０００９】
請求項３に記載のメガネ拭きでは、前記一対のメガネ拭き体２を広げた場合に、メガネ２１の一対のレンズ２２の位置に前記メガネ拭き体２がそれぞれ対応した位置となっていることを特徴としている。
【００１０】
請求項４に記載のメガネ拭きでは、前記メガネ拭き体２の形状を円形としていることを特徴としている。
【発明の効果】
【００１１】
本発明の請求項１に記載のメガネ拭きによれば、表裏の面にメガネ２１のレンズ２２を拭く生地１２をそれぞれ設けた一対のメガネ拭き体２と、この一対のメガネ拭き体２を連結する柔軟なストラップ３とでメガネ拭き本体１を形成し、前記一対のメガネ拭き体２の大きさを前記レンズ２２の大きさとほぼ同じか、あるいは小さくしているので、レンズ２２を拭く生地１２の面積を従来のミニハンカチ状の場合と比べて非常に小さくでき、そのため、きめ細かい特殊な生地１２の使用量を少なくすることができて、必要以上に生地１２を用いないので、低コストなメガネ拭きを提供することができる。また、メガネ拭き体２の大きさを前記レンズ２２の大きさとほぼ同じか、あるいは小さくしているので、レンズ２２を拭き易くでき、更には、背広やワイシャツの胸ポケットにも入れることができて、持ち運びが便利となり、そのため、外出先でもメガネ２１のレンズ２２を拭くことができる。
【００１２】
請求項２に記載のメガネ拭きによれば、前記メガネ拭き体２を、スポンジ体１１と、このスポンジ体１１より大きくて該スポンジ体１１の表裏面にそれぞれ配される生地１２、１２と、この生地１２、１２の周縁部を縫着するヘム布１３とで構成しているので、メガネ拭き体２が少し厚めとなって手で持ち易くなり、レンズ２２を拭く場合でも拭き易くなる。
【００１３】
請求項３に記載のメガネ拭きによれば、前記一対のメガネ拭き体２を広げた場合に、メガネ２１の一対のレンズ２２の位置に前記メガネ拭き体２がそれぞれ対応した位置となっているので、メガネ拭き本体１をメガネケース３１内に単独で、あるいはメガネ２１と一緒に入れる場合でも、従来のようにメガネ拭き本体１を折り畳むことなく、そのままの状態で入れることができ、メガネ拭き本体１を簡単に収納することができる。
【００１４】
請求項４に記載のメガネ拭きによれば、前記メガネ拭き体２の形状を円形としているので、意匠的にも優れたメガネ拭き本体１を提供することができる。
【発明を実施するための最良の形態】
【００１５】
以下、本発明の実施の形態を図面を参照して詳細に説明する。図１は本発明のメガネ拭き本体１を示し、同図（ａ）はメガネ拭き本体１の平面図を、（ｂ）は正面図を、（ｃ）は背面図をそれぞれ示している。
このメガネ拭き本体１は、左右一対のメガネ拭き体２、２と、この左右のメガネ拭き体２、２を連結している帯状で偏平なストラップ３とで構成されている。
【００１６】
なお、左右のメガネ拭き体２、２は同一の構造なので、一方のメガネ拭き体２について図１及びメガネ拭き体２の拡大断面図を示す図２にて説明する。先ず、メガネ拭き体２は、例えば円形であり、大きさはメガネのレンズの大きさとほぼ同じか、あるいは若干小さめの大きさとしている。
メガネ拭き体２は、内部に入れてあるクッション性があって少し厚めで円形のスポンジ体１１と、このスポンジ体１１の表裏面にそれぞれ配されて該スポンジ体１１を覆うようにしてスポンジ体１１より大きい面積で円形の生地１２と、この上下の生地１２の周縁部を覆設して糸１４にて該生地１２同士を縫着して生地１２の縁取りを行なうヘム布１３とで構成されている。
【００１７】
メガネ拭き体２の生地１２は、従来より用いられているきめ細かい特殊な生地であり、メガネのレンズ拭き用であれば各社から販売されているどのような素材を用いても良い。この生地１２の使用量としては、メガネのレンズより小さめであり、従来のミニハンカチくらいの大きさの生地と比べて、非常に小さな量（面積）としている。
また、左右のメガネ拭き体２、２を連結している柔軟なストラップ３は、布製であり、端部をヘム布１３内に入れて縫着している。
【００１８】
メガネ拭き体２、２の色彩として、例えばブルーとし、周縁部のヘム布１３の色彩を緑色とし、ストラップ３を白色として、色彩豊かなメガネ拭き体２に仕上げている。これにより意匠的にも優れたメガネ拭き本体１を提供することができる。
【００１９】
図３は、メガネ拭き本体１のメガネ拭き体２、２同士を重ねた場合を示しており、かかる場合にはメガネ拭き本体１の大きさを半分にできて、背広やワイシャツの胸ポケットにも簡単に入れることができる。そのため、持ち運びが便利となり、外出先でもメガネ拭き本体１にてメガネ２１のレンズ２２を拭くことができる。
なお、メガネ拭き体２同士を重ね合わせなくても、背広やワイシャツの胸ポケットに単に入れるだけに、メガネ拭き本体１を胸ポケットに簡単に入れることができる。
【００２０】
図４はメガネ２１のレンズ２２をメガネ拭き本体１にて拭いているところを示しており、メガネ拭き本体１の両メガネ拭き体２、２をメガネ２１のレンズ２２の表裏に当てて、該メガネ拭き体２、２をこすることで、メガネ拭き体２、２の生地１２がレンズ２２の表面に摺接して、レンズ２２の表裏を綺麗に拭くことができる。
この場合、メガネ拭き体２の生地１２の略全体を使ってレンズ２２を拭くことができるので、無駄な生地１２の使い方を防いでいる。また、メガネ拭き体２をレンズ２２に表裏に当てて拭くだけなので、拭き易いものである。
【００２１】
このように本実施形態では、メガネ拭き本体１の一対のメガネ拭き体２の大きさを前記レンズ２２の大きさとほぼ同じか、あるいは小さくしているので、レンズ２２を拭く生地１２の面積を従来のミニハンカチ状の場合と比べて非常に小さくでき、そのため、きめ細かい特殊な生地１２の使用量を少なくすることができて、必要以上に生地１２を用いないので、低コストなメガネ拭きを提供することができる。また、メガネ拭き体２の大きさを前記レンズ２２の大きさとほぼ同じか、あるいは小さくしているので、レンズ２２を拭き易くでき、更には、背広やワイシャツの胸ポケットにも入れることができて、持ち運びが便利となり、そのため、外出先でもメガネ２１のレンズ２２を拭くことができる。
【００２２】
また、メガネ拭き体２を、スポンジ体１１と、このスポンジ体１１より大きくて該スポンジ体１１の表裏面にそれぞれ配される生地１２、１２と、この生地１２、１２の周縁部を縫着するヘム布１３とで構成しているので、メガネ拭き体２が少し厚めとなって手で持ち易くなり、レンズ２２を拭く場合でも拭き易くなる。
さらに、メガネ拭き体２の形状を円形としているので、意匠的にも優れたメガネ拭き本体１を提供することができる。
【００２３】
図５はメガネケース３１内にメガネ２１を入れて、メガネ２１のレンズ２２の上にメガネ拭き本体１を入れた場合を示している。なお、分かり易いようにメガネ拭き本体１のつるや鼻当ては図示省略している。メガネ拭き本体１の一対のメガネ拭き体２を広げた場合に、メガネ２１の一対のレンズ２２の位置に前記メガネ拭き体２がそれぞれ対応した位置となるようにしている。
かかる場合、メガネ２１をメガネケース３１内に入れた後に、メガネ拭き本体１を広げて左右のメガネ拭き体２、２を左右のレンズ２２、２２の上に単に置くだけで良く、従来のように折り畳む必要がないので、メガネ拭き本体１をメガネケース３１内に簡単に入れることができる。
【００２４】
このように、一対のメガネ拭き体２を広げた場合に、メガネ２１の一対のレンズ２２の位置に前記メガネ拭き体２がそれぞれ対応した位置となっているので、メガネ拭き本体１をメガネケース３１内に単独で、あるいはメガネ２１と一緒に入れる場合でも、従来のようにメガネ拭き本体１を折り畳むことなく、そのままの状態で入れることができ、メガネ拭き本体１をメガネケース３１内に簡単に収納することができる。
【００２５】
なお、上記の説明ではメガネ拭き本体１のメガネ拭き体２、２の形状を円形としていたが、三角形、四角形、五角形等の多角形状や、楕円形状など任意の形状にメガネ拭き体２を形成するようにしても良い。
しかし、メガネ拭き本体１のメガネ拭き体２、２の大きさは、拭き易さ、メガネケース３１への収納のし易さ等からレンズ２２の大きさとほぼ同じか、あるいは小さくするのが好適例である。もちろん、レンズ２２の大きさより、メガネ拭き体２の方が少し大きくしても良い。また、メガネ拭き本体１の色彩も任意も色彩を用いても良い。
【図面の簡単な説明】
【００２６】
【図１】（ａ）〜（ｃ）は本発明の実施の形態におけるメガネ拭き本体の平面図、正面図及び背面図である。
【図２】本発明の実施の形態におけるメガネ拭き体の拡大断面図である。
【図３】本発明の実施の形態におけるメガネ拭き体を重ねた状態の正面図である。
【図４】本発明の実施の形態におけるメガネ拭き本体にてメガネのレンズを拭いている状態を示す説明図である。
【図５】本発明の実施の形態におけるメガネ拭き本体をメガネケースに収納した状態を示す説明図である。
【符号の説明】
【００２７】
１  メガネ拭き本体
２  メガネ拭き体
３  ストラップ
１１  スポンジ体
１２  生地
１３  ヘム布
２１  メガネ
２２  レンズ
【図１】
2006313210.tif 000003
【図２】
2006313210.tif 000004
【図３】
2006313210.tif 000005
【図４】
2006313210.tif 000006
【図５】
2006313210.tif 000007